(57)【要約】【課題】使用する接続機器を予め自動的に設定し、簡便化された操作で制御を行なうことが出来るようにする。【解決手段】機器を接続するインターフェース部と、装置本体に接続された接続機器の性能を検査する接続機器性能検査部と、装置本体に接続された複数の接続機器の中から使用するものを手動若しくは自動で選択する接続機器選択部と、接続機器の登録を行い、装置本体と電源を連動させる接続機器登録管理部と、装置本体に接続された接続機器の機種や性能を前記表示部へ表示する報告処理部とを有する。【選択図】      図６
2007036948.tif 000002
【特許請求の範囲】
【請求項１】
映像信号を受信する受信部と、
前記受信部で受信した映像信号に所定の信号処理を施す信号処理部と、
前記信号処理部からの出力映像信号を表示する表示部と、
機器を接続するインターフェース部と、
前記インターフェース部を介して装置本体に接続される接続機器の性能を検査する接続機器性能検査部と、
前記接続機器性能検査部の検査結果が、所定の条件を満たす場合、前記接続機器を特定の専用機器として登録することができる接続機器登録管理部と、
を有することを特徴とする放送受信装置。
【請求項２】
前記所定の条件は、記録媒体にコンテンツを記録しながら、かつ、記録されたコンテンツを追いかけて再生することができる性能であることを特徴とする請求項１記載の放送受信装置。
【請求項３】
前記接続機器登録管理部は、
前記接続機器性能検査部の検査結果が所定の条件を満たす場合、前記接続機器の登録を自動的に行なうか否かのどちらか一方を設定できることを特徴とする請求項１記載の放送受信装置。
【請求項４】
さらに、前記装置本体に接続された複数の接続機器の中から、前記専用機器として使用するものを、手動で選択するための接続機器選択部を有することを特徴とする請求項１記載の放送受信装置。
【請求項５】
さらに、前記接続機器登録管理部に登録されている複数の接続機器の機種、性能をリストにして、前記表示部の画面に表示する報告処理部を有することを特徴とする請求項１記載の放送受信装置。
【請求項６】
前記接続機器性能検査部の性能検査結果を、前記表示部に表示する報告処理部を有することを特徴とする請求項１記載の放送受信装置。
【請求項７】
さらに、前記接続機器登録管理部に登録されている複数の接続機器の機種、性能をリストにして、前記表示部の画面に表示する報告処理部と、
前記報告処理部が前記リストを表示した状態で、複数の接続機器の中から、専用機器として使用するものを、カーソルで指定して選択させるための接続機器選択部
を有することを特徴とする請求項１記載の放送受信装置。
【請求項８】
映像信号を受信する受信部と、前記受信部で受信した映像信号に所定の信号処理を施す信号処理部と、前記信号処理部で所定の信号処理が施された映像信号を表示する表示部と、機器を接続するインターフェース部と、動作を統括する制御部とを有し、前記制御部の制御のもとで接続機器を管理する接続機器制御方法において、
前記インターフェース部を介して装置本体に接続されている接続機器の性能を検査し、
前記接続機器の性能の検査結果が、所定の条件を満たす場合、前記接続機器を特定の専用機器として登録部に登録する、
ことを特徴とする接続機器制御方法。
【請求項９】
前記所定の条件は、記録媒体にコンテンツを記録しながら、かつ、記録されたコンテンツを追いかけて再生するかどうかの性能であることを特徴とする請求項９記載の接続機器制御方法。
【請求項１０】
前記接続機器の性能の検査結果が所定の条件を満たす場合、前記接続機器の登録を自動的に行なうか否かのどちらか一方を設定できるようにしていることを特徴とする請求項８記載の接続機器制御方法。
【請求項１１】
さらに、操作信号に応じて、前記登録部に登録されている複数の接続機器の機種、性能をリストにして、前記表示部の画面に表示することを特徴とする請求項８記載の接続機器制御方法。
【請求項１２】
さらに、操作信号に応じて、前記接続機器の性能の検査結果を、前記表示部に表示することを特徴とする請求項８記載の接続機器制御方法。
【発明の詳細な説明】
【技術分野】
【０００１】
この発明は、例えばＬＡＮ(Local Area Network)構築に適用されて有効な、放送受信装置及び接続機器制御方法に関し、特に接続機器を受信装置本体に接続した際の制御方法に係わるものである。
【背景技術】
【０００２】
周知のように近年、記録媒体としてハードディスク、光ディスクなどの情報記録媒体は、その記憶容量が増大している。この為に、これらの情報記録媒体を利用した記録再生装置を、例えばテレビジョン受信機に接続し、所望の番組を記録媒体に自動録画する方法及び装置がある。
【０００３】
また、通信ネットワーク技術の発達に伴い、オフィス内や家庭内でＬＡＮを構築するケースが増えてきている。また、ディジタル無線通信技術の発達、配線の煩わしさから無線でＬＡＮを構築する、いわゆるワイヤレスＬＡＮのニーズが高まっている。しかしワイヤレスＬＡＮに接続する機器が増えるにつれて、機器の制御は複雑になり、ユーザからの遠隔制御データが、ユーザが意図した機器へ伝わらないという問題点がある。そこで、リモコン操作等からの遠隔制御データを機器間において無線通信により送受信する場合において、操作対象の記録再生装置を識別するためのデータを、遠隔制御データと共に送受信可能な接続機器制御方法がある（特許文献１）。
【０００４】
また、１つの接続部を介し多数の記録再生装置を接続する場合、記録再生装置それぞれに専用の入力切替キーをリモコンに設ける必要があるが、キーの数が多くなり過ぎる為に、ユーザが容易な操作を行なえないという問題が生じる。そこで、１つの接続部を介して多数の記録再生装置が接続された場合でも、１つの入力切替キーを用いて簡便な操作により所望の機器を選択することができる機器選択装置及び機器選択方法がある（特許文献２）。
【特許文献１】特開２００４−３３６７２３号広報
【特許文献２】特開２００２−７８０４０号広報
【発明の開示】
【発明が解決しようとする課題】
【０００５】
上記の接続機器制御方法では、例えば複数の記録再生装置が接続されている場合、ユーザは操作入力を行なう度に、使用する記録再生装置を指定しなければならない。その為操作が複雑になり、即時に記録再生装置の動作を開始させることが出来ない、という問題がある。
【０００６】
そこで本発明は、接続機器が装置本体に接続されたときに、専用で使用する接続機器を予め自動的に設定することができ、ユーザが接続機器を操作する場合、簡便化された操作で制御を行なうことが出来る、放送受信装置及び接続機器制御方法を提供することを目的とする。
【課題を解決するための手段】
【０００７】
この発明の一実施形態は、映像信号を受信する受信部と、前記受信部で受信した映像信号に所定の信号処理を施す信号処理部と、前記信号処理部で所定の信号処理が施された映像信号を表示する表示部と、機器を接続するインターフェース部と、前記インターフェース部を介して装置本体に接続されている接続機器の性能を検査する接続機器性能検査部と、前記接続機器性能検査部の検査結果が、所定の条件を満たす場合、前記接続機器を特定の専用機器として登録する接続機器登録管理部と、を有する。
【発明の効果】
【０００８】
上記した手段により、所定の性能を持ち、かつ専用で使用する接続機器が自動的に設定登録されるために、ユーザは専用で使用する接続機器を特定するための特別な操作を行なう必要がなく、使い勝手が良好となる。
【発明を実施するための最良の形態】
【０００９】
以下、図面を参照しながらこの発明の実施の形態を説明する。
【００１０】
図１には、この実施の形態で説明するデジタルテレビジョン放送受信装置１１の外観を示している。デジタルテレビジョン放送受信装置１１は、薄型のキャビネット１２と、このキャビネット１２を起立させて支持する支持台１３とから構成されている。キャビネット１２には、例えば液晶表示パネル等でなる平面パネル型の映像表示器１４、スピーカ１５、操作部１６、後述するリモートコントローラ１７から送信される操作情報を受ける受光部１８等が設置されている。
【００１１】
図２は、この実施の形態で説明するデジタルテレビジョン放送受信装置１１の外観と、このデジタルテレビジョン放送受信装置１１を中心として構成されるネットワークシステムの一例を概略的に示している。このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１２】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１３】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１４】
このうち、第１のＬＡＮ端子２１は、ＬＡＮ対応ＨＤＤ専用ポートとして使用される。この第１のＬＡＮ端子２１に接続されたＮＡＳ（Network Attached Storage）であるＬＡＮ対応のＨＤＤ２５に対して、イーサネット（登録商標）により情報の記録再生を行なうために使用される。
【００１５】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１６】
また、第２のＬＡＮ端子２２は、イーサネット（登録商標）を用いた一般的なＬＡＮ対応ポートとして使用される。この第２のＬＡＮ端子２２は、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１７】
なお、ＤＶＤレコーダ２９については、第２のＬＡＮ端子２２を介して通信されるディジタル情報が制御系の情報であるため、デジタルテレビジョン放送受信装置１１との間でアナログの映像及び音声情報を伝送するために、専用のアナログ伝送路３０を設ける必要がある。
【００１８】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００１９】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２０】
上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２１】
ここでｉ．Link端子２４に接続された、ＡＶ−ＨＤＤ４１は、図面ではデジタルテレビジョン放送受信装置１１の外に記載されているが、実際には支持台１３に内蔵されている。つまりＡＶ−ＨＤＤ４１は、デジタルテレビジョン放送受信装置１１と一体となっている。
【００２２】
図３は、上記リモートコントローラ１７の外観を示している。このリモートコントローラ１７には、主として、電源キー１７ａ、入力切換キー１７ｂ、衛星ディジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。またちょっとタイムキー１７ｐも設けられている。例えばオンエアー放送中の番組視聴中に中座する場合、このキー１７ｐを押すと、一定時間の間は、その番組の録画を開始して一時保存を行なうようになっている。そして、受信装置の場所にユーザが戻ってきたとき、ちょっとタイムキー１７ｐを再度押すと、中座したときのシーンからの映像を再生させることができる。いわゆる追っかけ再生を行なう。これによりユーザは、視聴番組の内容を飛ばすことなく視聴できる。つまり記録媒体にコンテンツを記録しながら、かつ、記録されたコンテンツを追いかけて再生する。
【００２３】
図４は、上記したデジタルテレビジョン放送受信装置１１の主要な信号処理系を示している。すなわち、ＢＳ／ＣＳディジタル放送受信用のアンテナ４３で受信した衛星デジタルテレビジョン放送信号は、入力端子４４を介して衛星ディジタル放送用のチューナ４５に供給されることにより、所望のチャンネルの放送信号が選局される。
【００２４】
チューナ４５で選局された放送信号は、ＰＳＫ（Phase Shift Keying）復調器４６に供給されて、ディジタルの映像信号及び音声信号に復調された後、信号処理部４７に出力される。
【００２５】
また地上波アナログ信号を受信するアナログチューナ６８も設けられている。アナログチューナ６８で受信された信号は、アナログ復調器６９で復調され信号処理部４７に出力される。
【００２６】
また、地上ディジタル放送受信用のアンテナ４８で受信した地上デジタルテレビジョン放送信号は、入力端子４９を介して地上ディジタル放送用のチューナ５０に供給されることにより、所望のチャンネルの放送信号が選局される。
【００２７】
チューナ５０で選局された放送信号は、ＯＦＤＭ（Orthogonal Frequency Division Multiplexing）復調器５１に供給されて、ディジタルの映像信号及び音声信号に復調された後、上記信号処理部４７に出力される。
【００２８】
ここで、上記信号処理部４７は、ＰＳＫ復調器４６から供給されたディジタルの映像信号及び音声信号と、ＯＦＤＭ復調器５１から供給されたディジタルの映像信号及び音声信号と、アナログ復調器６９から供給された映像信号及び音声信号と、さらにライン入力端子からの映像信号及び音声信号とに対して、選択的に所定のディジタル信号処理を施し、グラフィック処理部５２及び音声処理部５３に出力している。
【００２９】
このうち、グラフィック処理部５２は、信号処理部４７から供給されるディジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３０】
グラフィック処理部５２から出力されたディジタルの映像信号は、映像処理部５５に供給される。この映像処理部５５は、入力されたディジタルの映像信号を、映像表示器１４で表示可能なフォーマットのアナログ映像信号に変換し、映像表示器１４に出力して映像表示させる。
【００３１】
上記音声処理部５３は、入力されたディジタルの音声信号を、スピーカ１５で再生可能なフォーマットのアナログ音声信号に変換し、スピーカ１５に出力して音声再生させる。
【００３２】
ここで、このデジタルテレビジョン放送受信装置１１は、上記した各種の受信動作を含むその全ての動作を制御部５６によって統括的に制御されている。
【００３３】
制御部５６は、ＣＰＵ（Central Processing Unit）等を内蔵している。操作部１６からの操作情報を受けたとき、または、リモートコントローラ１７から送出された操作情報を、受光部１８を介して受信したとき、制御部５６は、その操作内容が装置に反映されるように各部をそれぞれ制御している。
【００３４】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３５】
制御部５６は、カードＩ／Ｆ（Interface）６０を介して、第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３６】
制御部５６は、カードＩ／Ｆ６２を介して、第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３７】
制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバー機能を有し、第１のＬＡＮ端子２１に接続されたＬＡＮ対応のＨＤＤ２５にＩＰ（Internet Protocol）アドレスを割り当てて制御している。
【００３８】
制御部５６は、通信Ｉ／Ｆ６５を介して第２のＬＡＮ端子２２に接続されている。これにより、制御部５６は、第２のＬＡＮ端子２２に接続された各機器（図２参照）と、通信Ｉ／Ｆ６５を介して情報伝送を行なうことができる。
【００３９】
制御部５６は、ＵＳＢ Ｉ／Ｆ６６を介してＵＳＢ端子２３に接続されている。これにより、制御部５６は、ＵＳＢ端子２３に接続された各機器（図２参照）と、ＵＳＢ Ｉ／Ｆ６６を介して情報伝送を行なうことができる。
【００４０】
上記制御部５６は、ｉ．Link Ｉ／Ｆ６７を介してｉ．Link端子２４に接続されている。ｉ．Link端子２４には例えばAV-HDD４１やD-VHS４２などi.Link機器が接続される。これにより、制御部５６は、ｉ．Link端子２４に接続された各i.Link機器（図２参照）と、ｉ．LinkＩ／Ｆ６７を介して情報伝送を行なうことができる。
【００４１】
図５は、この発明の基本的な構成要素を取り出して示している。図２、図４に示したブロックに対応する部分には、図２、図４に示したブロックと同一符号を付している。
【００４２】
制御部５６は、操作部１６やリモートコントローラ１７によって入力された操作を処理する操作入力判別部５６ａを有する。この操作入力判別部５６ａからの判別結果に応じて接続機器制御部５６ｂ、一時保存録画制御部５６ｄ、一時保存再生制御部５６ｅは動作を決定される。
【００４３】
また制御部５６は、装置本体に接続されたi.Link機器の制御を行なう接続機器制御部５６ｂを有する。この接続機器制御部５６ｂは、これから説明する接続機器性能検査部５６ｂ１、接続機器選択部５６ｂ２、接続機器登録管理部５６ｂ３を含む。
【００４４】
上記の接続機器性能検査部５６ｂ１は、機器が、装置本体にi.Link接続されたとき、この接続機器の性能を検査する。この検査は、接続機器が所定の条件を満足するかどうかについて行なう検査であり、その内容については、後述する。その検査結果に条件を照らし合わせ、その条件を満たす性能を持つ接続機器を専用機器として自動的に設定することができる。
【００４５】
また、上記の接続機器選択部５６ｂ２は、ユーザのリモートコントロール操作に応答して、接続機器を選択する部分である。つまり、手動により装置本体の専用機器として使う接続機器を、この接続機器選択部５６ｂ２により決めることも可能である。
【００４６】
また、上記の接続機器登録管理部５６ｂ３は、上記した接続機器性能検査部５６ｂ１、あるいは接続機器選択部５６ｂ２により決定された専用機器を登録し、管理する部分である。
【００４７】
また、さらに制御部５６は、接続機器性能検査部５６ｂ１の検査結果及び処理結果を映像表示機１４に表示する報告処理部５６ｃを有する。またこの報告処理部５６ｃは、接続機器登録管理部５６ｂ３で管理されている接続機器のリストをその機種、性能などとともに表示器１４に表示することができる。
【００４８】
また、さらに制御部５６は、ちょっとタイム機能の制御を行なう一時保存録画制御部５６ｄと一時保存再生制御部５６ｅを有する。一時保存録画制御部５６ｄは、ちょっとタイムキー１７ｐを押した時点から一時録画を実現するための制御部である。一時保存再生制御部５６ｅは一時保存録画されたコンテンツを再生する場合、現在放送されている時刻に追いつくため、通常より早い速度で再生する追っかけ再生、或いは早送り再生、或いはスキップ再生を実現するための制御部である。
【００４９】
図６は、i.Linkインターフェース２４に機器が接続された際の、接続機器制御部５６ｂの制御の元で実行される装置の動作をフローチャートとして示している。ここでは、ちょっとタイム機能を実現できる機器「ちょっとタイム機器」を専用機器として登録する例を説明する。
【００５０】
装置本体に機器が接続される（ステップＳ１）。ここで、制御部は、機器設定の登録モードが自動と手動どちらになっているか確認する（ステップＳ２）。ステップＳ２において手動となっていた場合は、接続された機器の登録処理は行なわない（ステップＳ３）。
【００５１】
ステップＳ２において、自動になっていた場合には、i.Link接続機器の登録を開始する（ステップＳ４）。そして接続された機器の性能の検査を行なう（ステップＳ５）。この性能検査の結果、「i.Link接続機器」がちょっとタイム機能に使う容量を有するＨＤＤか否かを判定する（ステップＳ６）。ちょっとタイム機能に使う容量を有する場合は、「i.Link接続機器」が追っかけ再生可能かどうかをチェックする（ステップＳ７）。
【００５２】
ステップＳ６、ステップＳ７においていずれの場合も「いいえ」の場合は、接続機器は「ちょっとタイム機器」に自動設定されない（ステップＳ８）。
【００５３】
ステップＳ７において、「i.Link接続機器」が追っかけ再生可能であった場合、「ちょっとタイム機器」が既に設定されているかどうかを点検する（ステップＳ９）。既に設定されている場合は、「ちょっとタイム機器」自動設定は行なわない（ステップＳ１０）。しかし設定されていない場合には、接続された機器を「ちょっとタイム機器」に自動設定する（ステップＳ１１）。そして、
報告処理部５６ｃは、接続機器が「ちょっとタイム機器」に設定された場合、されなかった場合いずれにしても、接続機器の機種、性能、実行できる機能及び行なった処理を放送受信装置１１の画面上に表示し（ステップＳ１２）、処理を終了する（ステップＳ１３）。
【００５４】
ここで、専用機器として設定された接続機器は、接続機器登録管理部５６ｂ３の設定により、放送受信装置１１と電源連動するように設定することもできるし、又逆に連動しないように設定することもできる。
【００５５】
さらにこの発明は、上記の実施形態に限定されるものではない。上記の実施形態では、ステップＳ６において、接続されたi.Link機器はＨＤＤであるか？という条件を出したが、ユーザが意図した機能を実行するための条件を満たすものであればメモリを使用してもよい。またさらに、上記の実施形態ではステップＳ６、ステップＳ７及びステップＳ９は、「ちょっとタイム機能」を使用するための条件としているが、ユーザの意図した別の機能を実行するための条件と置き換えてもよい。
【００５６】
図７は、既に接続されている複数のi.Link機器から、手動で専用機器を選択する際の、装置の動作をフローチャートとして示している。ネットワークを介し複数の機器が装置本体にi.Link接続されている（ステップＳＡ１）。接続機器選択部５６ｂ２は、i.Link機器設定の登録モードが自動と手動どちらになっているか確認する（ステップＳＡ２）。ステップＳＡ２において自動となっていた場合は、ステップＳＡ３で操作入力判別部５６ａにi.Link機器設定の登録モードを手動にする操作入力がされるのを待つ待機状態となる（ステップＳＡ３）。
【００５７】
ステップＳＡ２若しくはステップＳＡ３においてi.Link接続機器を設定する登録モードが手動となった場合、接続機器性能検査部５６ｂ１は、既に接続されている機器の中で、「ちょっとタイム機能」を使用するのに適当な接続機器があるかどうか確認する（ステップＳＡ４）。無い場合は処理終了となる（ステップＳＡ８）。
【００５８】
報告処理部５６ｃは、ステップＳＡ４において検査した、i.Link機器の機種、性能、実行できる機能を放送受信装置１１の画面上に表示する（ステップＳＡ５）。ユーザは、表示された接続されている接続機器の中から専用機器として使用するものを選択し、操作部１６若しくはリモートコントローラ１７を使用し、操作入力判別部５６ａに制御データを伝える（ステップＳＡ６）。接続機器登録管理部５６ｂ３は、ステップＳＡ６で入力された制御データを元に、「ちょっとタイム機器」として使用する接続機器を変更し（ステップＳＡ７）、処理を終了する（ステップＳＡ８）。
【００５９】
さらにこの発明は、上記の実施形態に限定されるものではない。上記の実施形態では、ステップＳＡ４において「ちょっとタイム機能」を使用するのに適当なi.Link機器があるかどうか？という判断を行なったが、ユーザの意図した別の機能を実行するための条件と置き換えてもよい。
【００６０】
図８は、手動により「ちょっとタイム機器」の変更を行なう際のユーザガイド画面の表示例である。図８Ａには、各種の設定を行なうときのメニュー画面が示されている。この画面の中では、カーソルが「ちょっとタイム機器」という項目の位置に合わせられている。このときは、画面において、決定を行なうと、「ちょっとタイム機器」を設定できることを示している。
【００６１】
この画面の状態のとき、リモートコントローラ１７のカーソルキー１７ｆを使用し、「ちょっとタイム機器」の上にカーソルを置き決定ボタン１７ｇを押すと画面が図８Ｂのように変わる。
【００６２】
図８Ｂの画面では、装置本体に接続されており、ちょっとタイム機器の設定を行なう対象となるi.Link接続機器（例えば機器ＩＤ、機器名）が表示される。ここで、図８Ｃのように、「ちょっとタイム機器」として使用したい接続機器名の上にカーソルを合わせ、決定ボタン１７ｇを押すと画面が図８Ｄのように変わる。
【００６３】
図８Ｄでは、現在「ちょっとタイム機器」としてi.Link２（第２番目の接続機器）の機器が設定されていることがわかる。これで「ちょっとタイム機器」はi.Link１の機器からi.Link２の機器へ設定の変更が行なわれたことになる。
【００６４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００６５】
【図１】この発明に係るデジタルテレビジョン放送受信装置の外観を示す図である。
【図２】この発明に係るデジタルテレビジョン放送受信装置のシステムの概略を説明するために示した図である。
【図３】この発明で使用されるリモートコントローラの概略を説明するために示した図である。
【図４】この発明に係るデジタルテレビジョン放送受信装置の内部を具体的に示した構成説明図である。
【図５】この発明に係る装置における制御部の基本的な構成を示した構成説明図である。
【図６】この発明に係る装置における制御部の、特に記録再生装置接続時の動作を示すフローチャートである。
【図７】この発明に係る装置における制御部の、特に手動で専用機器を変更する際の動作を示すフローチャートである。
【図８】この発明に係る装置の、手動で「ちょっとタイム機器」の変更を行なう際の表示例を示す説明図である。
【符号の説明】
【００６６】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ、
【図１】
2007036948.tif 000003
【図２】
2007036948.tif 000004
【図３】
2007036948.tif 000005
【図４】
2007036948.tif 000006
【図５】
2007036948.tif 000007
【図６】
2007036948.tif 000008
【図７】
2007036948.tif 000009
【図８】
2007036948.tif 000010